(57)【要約】【課題】本発明は、内封物と一体に形成することで送達の際には内封物を封入する機能を維持しながら開封後に廃棄の必要がない配達用封筒を提供する【解決手段】本配達用封筒は、一方の縦辺端部裏面の縦方向に所定幅の糊しろを有し、この糊しろの内側端部近傍に縦方向のミシン目を設けた表紙と、それぞれ一方の縦辺端部表面の縦方向に前記所定幅と略同一幅であって接着剤を塗布した糊しろを有し、この糊しろの内側端部近傍に縦方向のミシン目を設けた少なくとも１枚以上の内封紙と、それぞれ一方の縦辺端部表面の縦方向に前記所定幅と略同一幅であって接着剤を塗布した糊しろを有し、この糊しろの内側端部近傍に縦方向のミシン目を設けた裏表紙とを備えている。この本配達用封筒は裏表紙、内封紙、表紙の糊しろを貼り合わせながら逐次順番に積層することのよりそれぞれの一方の縦辺端部を固着する。【選択図】図２
2007131315.tif 000002
【特許請求の範囲】
【請求項１】
一方の縦辺端部裏面の縦方向に所定幅の糊しろを有し、この糊しろの内側端部近傍に縦方向のミシン目を設けた表紙と、
それぞれ一方の縦辺端部表面の縦方向に接着剤を塗布した所定幅の糊しろを有し、この糊しろの内側端部近傍に縦方向のミシン目を設けた少なくとも１枚以上の内封紙と、
それぞれ一方の縦辺端部表面の縦方向に接着剤を塗布した所定幅の糊しろを有し、この糊しろの内側端部近傍に縦方向のミシン目を設けた裏表紙とを備え、
前記裏表紙、内封紙、表紙のそれぞれの糊しろを貼り合わせながら逐次順番に積層することのよりそれぞれの一方の縦辺端部を固着し、さらにそれぞれの他方の縦辺端部を綴じている、ことを特徴とする配達用封筒。
【請求項２】
一方の縦辺端部裏面の縦方向に所定幅の糊しろを有し、この糊しろの内側端部近傍に縦方向のミシン目を設けた表紙と、
それぞれ一方の縦辺端部が前記表紙の端部よりも横方向に前記表紙の糊しろ分又はそれ以上短いことにより前記表紙よりも横の長さが短い、少なくとも１枚以上の内封紙と、
それぞれ一方の縦辺端部表面の縦方向に接着剤を塗布した所定幅の糊しろを有し、この糊しろの内側端部近傍に縦方向のミシン目を設けた裏表紙とを備え、
前記裏表紙、内封紙、表紙のそれぞれを積層し、前記裏表紙および表紙それぞれの糊しろを貼り合わせることにより前記裏表紙と表紙それぞれの一方の端部を固着し、さらにそれぞれの他方の端部を綴じている、ことを特徴とする配達用封筒。
【請求項３】
前記表紙は、一方又は両方の横辺端部裏面の横方向に所定幅の糊しろを有し、この糊しろの内側端部近傍に縦方向のミシン目を設け、前記内封紙および裏表紙は、それぞれ一方又は両方の横辺端部表面の横方向に接着剤を塗布した所定幅の糊しろを有し、この糊しろの内側端部近傍に縦方向のミシン目を設け、
前記裏表紙、内封紙、表紙のそれぞれの糊しろを貼り合わせながら逐次順番に積層することのよりそれぞれの一方又は両方の横辺端部を固着する、ことを特徴とする請求項１又は２に記載の配達用封筒。
【請求項４】
前記表紙は、一方又は両方の横辺端部裏面の横方向に所定幅の糊しろを有し、この糊しろの内側端部近傍に縦方向のミシン目を設け、前記内封紙は、それぞれ一方又は両方の横辺端部が前記表紙の端部よりも縦方向に前記表紙の糊しろ分又はそれ以上短いことにより前記表紙よりも横の長さが短く、前記裏表紙は、それぞれ一方又は両方の横辺端部表面の横方向に接着剤を塗布した所定幅の糊しろを有し、この糊しろの内側端部近傍に横方向のミシン目を設け、
前記裏表紙、内封紙、表紙のそれぞれの糊しろを貼り合わせながら逐次順番に積層することのよりそれぞれの一方又は両方の横辺端部を固着する、ことを特徴とする請求項１〜３のいずれか１項に記載の配達用封筒。
【請求項５】
前記内封紙のうち前記表紙側の内封紙の前記糊しろ内側に所定幅の第二糊しろを有し、この糊しろの内側端部近傍にミシン目を設け、他の内封紙の前記糊しろの内側に接着剤を塗布した所定幅の第二糊しろを有し、この糊しろの内側端部近傍に縦方向のミシン目を設け、それぞれの内封紙の第二の糊しろを貼り合わせながら逐次順番に積層することのよりそれぞれの内封紙の端部をさらに固着する、ことを特徴とする請求項１〜４のいずれか１項に記載の配達用封筒。
【発明の詳細な説明】
【技術分野】
【０００１】
本発明は、送達書類等を封入するための封筒を別途準備せず送達物と一体化して送達可能な構造を有する配達用封筒に関する。
【背景技術】
【０００２】
一般に書類等は、配達元が配達を所望する書類等を別途に用意した封筒に内封し、密閉状態の封筒が配達委託者を介して配達先に送付されることで行われている。また、封筒が送付された配達先がその内封物の確認を所望する場合、封筒を開封した後に該封筒を廃棄する必要があり無駄な廃棄物の増加を招く結果となる。このことは、配達先における廃棄物管理の負担を高めるという問題ばかりでなく環境的弊害の問題も包摂している。さらに、配達元にとって内封物と別途の封筒を準備し、配達先で内容確認してもらえるような封筒印刷等をする必要があり無駄なコストを発生させていた。
【特許文献１】特開２００５−３０６４３１号公報
【発明の開示】
【発明が解決しようとする課題】
【０００３】
以上の事情に鑑みて本発明は提供されたものであり、内封物と一体に形成することで送達の際には内封物を封入する機能を維持しながら開封後に廃棄の必要がない、配達用封筒を提供することを目的とする。
【課題を解決するための手段】
【０００４】
本発明の配達用封筒によれば、一方の縦辺端部（たとえば、実施形態における左側部２０参照）裏面の縦方向に所定幅の糊しろ（たとえば、実施形態における糊しろ２０ｃ参照）を有し、この糊しろの内側端部近傍に縦方向のミシン目を設けた表紙と、それぞれ一方の縦辺端部表面の縦方向に接着剤を塗布した所定幅の糊しろ（たとえば、実施形態における糊しろ２０ａ参照）を有し、この糊しろの内側端部近傍に縦方向のミシン目を設けた少なくとも１枚以上の内封紙と、それぞれ一方の縦辺端部表面の縦方向に接着剤を塗布した所定幅の糊しろ（たとえば、実施形態における糊しろ２０ｃ参照）を有し、この糊しろの内側端部近傍に縦方向のミシン目を設けた裏表紙とを備えている。そして、この配達用封筒は、裏表紙、内封紙、表紙のそれぞれの糊しろを貼り合わせながら逐次順番に積層することのよりそれぞれの一方の縦辺端部を固着し、さらにそれぞれの他方の縦辺端部（たとえば、実施形態における右側部１２参照）を綴じている。
【０００５】
また、本発明の他の配達用封筒は、一方の縦辺端部裏面の縦方向に所定幅の糊しろ（たとえば、実施形態における糊しろ２０´ｃ参照）を有し、この糊しろの内側端部近傍に縦方向のミシン目を設けた表紙と、それぞれ一方の縦辺端部が前記表紙の端部よりも横方向に前記表紙の糊しろ分又はそれ以上短いことにより前記表紙よりも横の長さが短い、少なくとも１枚以上の内封紙（たとえば、図５（ｂ）の内封紙１８´参照）と、それぞれ一方の縦辺端部表面の縦方向に接着剤を塗布した所定幅の糊しろ（たとえば、実施形態における糊しろ２０´ａ参照）を有し、この糊しろの内側端部近傍に縦方向のミシン目を設けた裏表紙とを備えている。そして、裏表紙、内封紙、表紙のそれぞれを積層し、前記裏表紙および表紙それぞれの糊しろを貼り合わせることにより前記裏表紙と表紙それぞれの一方の端部を固着し、さらにそれぞれの他方の端部を綴じている。
【０００６】
上記表紙は、一方又は両方の横辺端部裏面の横方向に所定幅の糊しろを有し、この糊しろの内側端部近傍に縦方向のミシン目を設け、前記内封紙および裏表紙は、それぞれ一方又は両方の横辺端部表面の横方向に接着剤を塗布した所定幅の糊しろを有し、この糊しろの内側端部近傍に縦方向のミシン目を設け、裏表紙、内封紙、表紙のそれぞれの糊しろを貼り合わせながら逐次順番に積層することのよりそれぞれの一方又は両方の横辺端部を固着しても良い。また、上記表紙は、一方又は両方の横辺端部裏面の横方向に所定幅の糊しろを有し、この糊しろの内側端部近傍に縦方向のミシン目を設け、前記内封紙は、それぞれ一方又は両方の横辺端部が前記表紙の端部よりも縦方向に前記表紙の糊しろ分又はそれ以上短いことにより前記表紙よりも横の長さが短く、前記裏表紙は、それぞれ一方又は両方の横辺端部表面の横方向に接着剤を塗布した所定幅の糊しろを有し、この糊しろの内側端部近傍に横方向のミシン目を設け、裏表紙、内封紙、表紙のそれぞれの糊しろを貼り合わせながら逐次順番に積層することのよりそれぞれの一方又は両方の横辺端部を固着しても良い。さらに、本発明の配達用封筒は所謂中綴じをすることも可能であり、内封紙のうち前記表紙側の内封紙の前記糊しろ内側に所定幅の第二糊しろを有し、この糊しろの内側端部近傍にミシン目を設け、他の内封紙の前記糊しろの内側に接着剤を塗布した所定幅の第二糊しろを有し、この糊しろの内側端部近傍に縦方向のミシン目を設け、それぞれの内封紙の第二の糊しろを貼り合わせながら逐次順番に積層することのよりそれぞれの内封紙の端部をさらに固着しても良い。
【発明の効果】
【０００７】
本発明の配達用封筒は、内封紙が表紙と裏表紙との間に封じられており、表紙又は裏表紙のいずれかに配達先（宛先）や配達元を印字すれば、別途に封筒を準備しなくとも内封紙（内封物）を封書することができ、配達に要する封筒費用や郵送代金等のコスト、内封物の封入工程に要する人的・機械的コスト（内封物の折込・封入作業のコスト）を大幅に低減することが可能となる。また、配達先にとって内封物の開封作業および開封後の管理が簡便であると同時に開封後の廃棄物（封筒）の低減することができる。また、配達元にとって配達先での内封紙の開封・確認・管理を促すことができ、配達先での開封を促すための透明ビニール等、環境侵襲性の高い封筒の廃棄を回避するができる。さらに、この配達用封筒は２辺で綴じられており固着されるため、内封紙が薄いが折り曲げを回避したい場合にも配達時における強度を確保することができる。また、本発明の配達用封筒ではその内部で内封紙を再度綴じることも可能であり、内封紙に個人情報等の重要情報が印字されている等の場合も再度開封しなければ内容確認することができず安全性が確保される。
【発明を実施するための最良の形態】
【０００８】
図１を参照すれば従来、配達を所望する内封物を封筒に入れる様子を工程（１）〜（３）で示している。まず、工程（１）を参照すれば配達元のオペレータや折加工機により内封物１００が折畳まれる。これは封筒１０２よりも内封物１００とが小さい場合に必要な工程であり、内封物を小さくして封筒１０２に挿入可能となる（工程（２）´参照）。概ね手紙等の私的内封物を配達する際は郵便代金を節減するために、この工程が採用される。そして、内封物が挿入された封筒を糊しろとしてのフラップを折り曲げて口糊で密封する（工程（３）参照：図では封筒１０２の表面を表示しているため密封時のフラップ１０４は点線で表示している）。
【０００９】
しかしながら、内封物によっては内封物を折畳んで封筒に挿入することができない場合がある。この場合、配達元では比較的大きな封筒１０２を選択し、内封物１００をそのまま封筒１０２に挿入することとなる（工程（２）参照）。ここでは、主としてこの工程の場合を問題とする。なお、従来の封筒について言及すれば、封筒１０２には代表的に長形、角形、洋形の形状がある。長形とは、縦の長さが横の長さの2倍程度あり定形郵便規格で使われる封筒であり、角形とは、長形よりも横の比率が大きい形状の封筒である。また、洋形とは、招待状や案内状送付などでよく使われている横向きの封筒形状である。
【００１０】
上記内封物を折畳んで封筒に挿入することができないような場合、特に内封物がビジネス文書や会報誌のごとき薄手の書類（書籍）の場合は折畳むとその価値の減退や情報伝達力の低下を招くためそのままの大きさで挿入可能な封筒が使用されている。代表的には上記角形の封筒のうち角２封筒（横２４０mm×縦３３２mm）にＡ４サイズの書類・書籍を挿入して配達されている。この配達方法は内封物の価値減退を回避等では良好であるが、上述したように配達先において封筒廃棄の必要性や開封がなされない可能性を有している。また、配達元では内封物の封筒挿入や封筒密封という作業が必要となり、配達先では開封時に開封者がレターナイフやハサミを使用する必要があり大量発送をする場合には作業性が著しく悪い。さらに、このような内封物を封筒に入れて配達する場合、内封物に比して配達封筒が大きくなり配送コストが高いという問題もあった。
【００１１】
これに対して本発明の配達用封書では、上記問題を解決している。以下、具体的に本発明の実施形態を示して説明する。図２を参照すれば、密封状態での本発明の配達用封書１０を示した斜視図である。この配達用封書１０は図２からも明らかなように図の紙面の左右側部で綴じられている。まず、配達用封書１０の右側部１２は、詳細には表紙１４と裏表紙１６との間に内封紙１８を介挿して綴じているが、この綴じ方については通常の小冊子等を綴じる場合と同様で糊付け、ホッチキス留め等、種々の方法が考えられる。
【００１２】
次に、配達用封書１０の左側部２０は、前述の右側部１２と同様に表紙１４と裏表紙１６との間に内封紙１８を介挿した状態で綴じられている。図４を参照すれば、左側部１２の綴じ方の一例を示すために表紙１４、裏表紙１６、内封紙１８それぞれの分解図が示されている。具体的には、図４（ａ）は、綴じられる前の裏表紙１６又は各内封紙１８それぞれが示されており、図４（ｂ）では綴じられる前の表紙１４が示されている。なお、図４ではそれぞれの紙面１４、１６、１８は左右側部１２、２０ともに綴じられる前の単独紙状態を示しているため右側部１２が自由に表示されているが、これは理解を助けるために省略したものであり上述するようにそれぞれの紙面１４、１６、１８の右側部１２は従来の方法で綴じられている。
【００１３】
再び左側部２０の綴じ方について言及すれば、まず裏表紙１６は図４（ａ）の斜線図に示すように左側に所定幅ａの糊しろ２０ａを設け、その表面側（図４（ａ）における紙面側）に接着剤を塗布している。また、糊しろ２０ａの右側端部には上下方向にミシン目２０ｂを設けている。この図においてミシン目２０ｂは糊しろ２０ａの左側端部と同一線上に設けている（従って、ミシン目２０ｂは実線で表示されている）場合が例示されているが、糊しろはミシン目２０ｂよりも紙面右側に位置する、すなわち糊しろの所定幅がａより小さくても良い（図６参照）。
【００１４】
また、内封紙１８も裏表紙１６と同様にして形成される。従って、内封紙１８を裏表紙１６の上面に積層させると裏表紙１６の上面（紙面）の糊しろ２０ａ上に内封紙１８の下面（紙面裏）が貼り付けられ、糊しろ２０ａに塗布された接着剤をもって両者１６、１８の左側部２０が綴じられることとなる。このとき裏表紙１６と内封紙１８とは同一のものであり、そのまま積層されたものであるので裏表紙１６と内封紙１８におけるミシン目２０ｂの位置は重なり略同一線上に位置決めされる。さらに、内封紙１８が複数ある場合には、同様の方法で裏表紙１６に貼り付けられた内封紙１８の上に貼り付けることとなる。そして、この工程を内封紙１８分だけ反復し、裏表紙１６上に内封逐次積層する。
【００１５】
ここで、裏表紙１６と内封紙１８との貼り付け方法について言及する。図１０および図１１を参照すれば、ここでの貼り付け方法においる代表的例が示されており、積層された配達用封筒を下方から見た図（例えば、図４（ａ）の紙面の下方から見ている）。まず、第一の方法が図１０（ａ）に示されている。この方法は、裏表紙１６および内封紙１８に設けられたそれぞれの糊しろ２０ａ（図面では見易さを考慮して裏表紙１６の裏面に参照番号が付されているが前述のとおり糊しろ２０ａはそれぞれの表面に位置する）は幅方向略同列上に接着剤２０ｉが塗布されている。従って、図１０（ａ）に示すように裏表紙１６、内封紙１８を揃えて積層すると接着剤２０ｉも同列に積層して裏表紙と内封紙１８とを互いに接着する。次に、第二の方法が図１０（ｂ）に示されている。前述の第一の方法では接着剤２０ｉが略同列に積層されていくため接着剤２０ｉの厚みがそのまま配達用封筒の厚みを増加させることとなる。従って、第一の方法の場合、内封紙１８の枚数が増加していくと接着剤２０ｉの厚みのために配達用封筒の厚みをいたずらに増大させることとなり、ひいては郵送代の増加にもつながるおそれがある。この問題を図１０（ｂ）の方法では回避している。具体的には、図１０（ｂ）に示すように裏表紙１６、内封紙１８それぞれの糊しろ２０ａの接着剤２０ｊは互いに同列に位置しないようにジグザグ状に塗布されている。従って、裏表紙１６と内封紙１８とを積層した状態で厚み方向（矢印方向）に圧縮させるスペースが確保され、全体として厚みを減少させることができる（一方、図１０（ａ）に示す第一の方法の場合、互いの接着剤２０ｉが重なっているため厚み方向に圧縮する余地がない）。さらに、図１１を参照すれば図１０（ｂ）に示す第二の方法の変形例が示されている。図１０（ｂ）の方法の場合、接着剤２０ｉは２枚上方の接着剤２０ｉと略同列に位置する言わば２層構成をなしているが、図１１の方法では３枚上方に至るまで接着剤２０ｋがずれて塗布されており、言わば３層構成をなしている。このように接着剤２０ｋを塗布すれば、図１０（ｂ）の方法よりさらに１層分だけ厚み方向を圧縮させるスペースが確保され、配達用封筒の厚みを減少させることができる。なお、ここでは図１１で示す接着剤の３層構成まで説明したが、さらに複数層増加した構成も可能であることは理解されよう。また、これらの貼り付け方法は後述する本発明の他の実施形態における貼り付けにも採用されるものである。
【００１６】
このようにして、裏表紙１６上に内封紙１８を逐次積層して貼り付けた後、表紙１４が貼り付けられる。具体的には、最後に貼り付けられた内封紙１８上に表紙１４を貼り付けることとなる。ここで、表紙１４について上述する裏表紙１６や内封紙１８と同様のものとすれば、その表面に糊しろ２０ａが表れ、糊しろ２０ａに塗布された接着剤がそのまま表に出ることとなる。従って、図４（ｂ）の斜線部に示すように表紙１４は、裏表紙１６や内封紙１８と異なり、糊しろ２０ｃが裏面に設けられている（裏面にあることを明確にするために糊しろの右側端部２０ｄを点線で表示している）。また、裏面にある糊しろ２０ｃには接着剤が塗布されていても、塗布されていなくても差し支えない。表紙１４は裏表紙１６および内封紙１８を積層したものに積層させて貼り付けられるものであり糊しろ２０ａには既に接着剤が塗布されているからである。このようにして、裏表紙１６、内封紙１８、表紙１４を順に貼り付けることにより各紙の左側部は一体に積層固定され、図２に示すように配達用封筒１０の左側部２０を形成することとなる。なお、上記説明および図４では裏表紙１６から内封紙１８、表紙１４の順に上に貼り付けていく場合について例示してきたが、逆に表紙１４から内封紙１８、裏表紙１８を順に下に貼り付けていく方法も考えられる。この場合は、表紙１４および内封紙１８の裏面に接着剤を塗布した糊しろを設け、最後に貼り付けられる裏表紙１６の表面（上面）に接着剤を塗布していない糊しろが設けられることになる。
【００１７】
以上のように形成された配達用封筒１０について再び図２を参照すれば、右側部１２は従来式の綴じ方で綴じられており、左側部２０については所定幅ａをもって一体に糊付けされている。従って、内封紙１８は表紙１４と裏表紙１６との間に封じられており、表紙１４又は裏表紙１６のいずれかに配達先（宛先）や配達元を印字すれば、別途に封筒を準備しなくとも内封紙（内封物）１８を封書することができ、そのまま配達に供することが可能となる。このことは、配達元にとって配達に要する封筒費用や郵送代金等のコストや、内封物を封筒に挿入する作業工程に要する人的コストを大幅に低減することが可能となる。
【００１８】
また、左側部２０は、上述するように貼り付けの際に各紙１４、１６、１８のミシン目２０ｃ、２０ｄを略同一線上に位置決めしているため表紙１４（又は裏表紙１６）に表れているミシン目２０ｄ（又は２０ｃ）が配達用封筒１０におけるミシン目としても機能する。従って、この配達用封筒１０では図３に示すように表紙１４（又は裏表紙１６）に表れているミシン目２０ｄ（又は２０ｃ）に沿って配達先のオペレータが左側部２０を切り取れば、内封紙１８が開封されると同時に、開封後に右側部１２が綴じられた状態の小冊子を形成することも可能である。従って、配達先にとって内封物を開封する作業および開封後の内封紙の管理が簡便であると同時に開封後の廃棄物（封筒）の低減することができる。また、配達元にとって配達先での内封紙の開封・確認・管理を促すことが可能となる。このことは配達先での開封を促すために透明ビニール等の封筒を用い、これを廃棄する際に生じる環境的問題をも回避するができる。さらに、上記配達用封筒は２辺で綴じられており固着されるため、内封紙が１枚〜数枚の薄いものであが折り曲げを回避したい場合にも別途の封筒を準備しなくとも配達時における強度を確保することができる。
【００１９】
次に、本発明の他の配達用封筒についても例示しておく。図４に示すように上述の配達用封筒の場合、裏表紙１６と内封紙１８とが同一形態で構成されていたが（図４（ａ）参照）、この配達用封筒では、裏表紙１６´、内封紙１８´、表紙１４´のそれぞれが異なる形態を有しており、裏表紙１６´（図５（ａ）参照）および表紙１４´（図５（ｃ）参照）は上述の裏表紙１６（図４（ａ）参照）と表紙１４（図４（ｂ）参照）と略同一形態であるが、とりわけ、内封紙１８´の形態に相違がみられる。具体的には、図５の配達用封筒の場合、内封紙１８´の右側端部２２が裏表紙１６´、表紙１４´のミシン目２０´ｂ、２０´ｃと同一線上又は右側に位置している。さらに、内封紙１８´には前述の内封紙１８と異なり糊しろ及びミシン目が存在していない。従って、配達用封筒を形成する際に内封紙１８´を糊付けせずに右揃えで裏表紙１６´上に積層させていき、その上に表紙１４´を積層させてその裏面の糊しろ２０´ｄと一番下方に位置する裏表紙１６´の糊しろ２０´ｂとを係合させて接着することとなる。このように形成した配達用封筒（完成状態は図示せず）の場合、上述する図２の配達用封筒１０では開封時に切り取られる左側部２０において内封紙１８の左側部２０ａも一体に綴じられているが、図５の場合には表紙１４´と裏表紙１６´の間の左側端部が自由な状態で封されることとなる。但し、この場合でも内封紙１８´は右側部が綴じられた状態で内部に介挿されているため、内封紙の封するという機能は担保される。
【００２０】
また、本発明の配達用封筒は内封紙も綴じられている、すなわち所謂中綴じにも利用することができる。図７、図８では、それぞれ中綴じを行う場合における図４及び図５の内封紙１８、１８´を示している。まず、図７の内封紙１８の場合、最下方に積層する内封紙１８ａ（図７（ａ）参照）には糊しろ２０ａの左側に新たな糊しろ２０ｅを設け、接着剤を塗布するとともにミシン目２０ｇを設けている。また、最上方に積層する内封紙１８ｂ（図７（ｂ）参照）は裏面に糊しろ２０ｆを設け、ミシン目２０ｈ（ミシン目２０ｇと同一線上に位置決めされる）を設けている。従って、この内封紙１８ａを積層していけば糊しろ２０ａで裏表紙１６から表紙１８の間で貼り付けられていくとともに封筒１０内部において糊しろ２０ｅで貼り付けられていき、最上部において内封紙１８ａの糊しろ２０ｅと内封紙１８ｂの糊しろ２０ｆを貼り合される。従って、ミシン目２０ｂで配達用封筒１０を開封したとしても内封紙１８は綴じられていることとなり、内封紙に個人情報等の重要情報が印字されている場合やクレジットカードのごとき重要物を封入したい場合に封筒自体が間違って開封されたとしても内部を再度開封しなければ安全性が確保される。なお、図８では、図５の内封紙１８´の場合において中綴じする場合を示しており、その思想は図７の内封紙と同一であり、図７と同種の参照番号および表示方法で示しているものは同種の機能を有するものとする（一点鎖線Ｘは、図５における表紙１４´および裏表紙１８´の左端部の位置を示している）。
【００２１】
以上、本発明の配達用封筒の実施形態を２つ例示およびそれぞれにおける内封紙の変形例を示してきたが、本発明の配達用封筒はこれに限定されるものではなく、本発明はこの特許請求の範囲および明細書の記載の精神、技術思想を逸脱しない他の種々の変形例、改良例が存在することが当業者に明らかであろう。たとえば、図２〜８の実施形態では右側部を従来式に綴じ、左側部を一体に糊（接着剤）付けする例が示されているが、本発明では左右逆になる場合も包摂される。また、図９において配達用封筒１００として斜視図を示すように一体の糊付けを上下側部でも実行し、ミシン目２２０ａ、２２０ｂ、２２０ｃを切り取ることで上下及び左右一方側を開封する配達用封筒のごときも考えられる。
【図面の簡単な説明】
【００２２】
【図１】従来の配達用封筒の作成工程を示した略図である。
【図２】本発明の配達用封筒の密封された状態の斜視図である。
【図３】本発明の配達用封筒の開封された状態の斜視図である。
【図４】本発明の配達用封筒の各構成紙を示した平面図である。
【図５】本発明の他の配達用封筒の各構成紙を示した平面図である。
【図６】図４（ａ）の裏表紙等の変形例を示した平面図である。
【図７】図４の内封紙が内部で綴じられる場合の各内封紙を示した平面図である。
【図８】図５の内封紙が内部で綴じられる場合の各内封紙を示した平面図である。
【図９】上下方向も綴じられ開封のためのミシン目が設けられた配達用封筒の密封された状態を示す斜視図である。
【図１０】本発明の配達用封筒における各紙の貼り付け方法を示している。
【図１１】図１０（ｂ）に示す貼り付け方法の変形例である。
【符号の説明】
【００２３】
１０…配達用封筒
１２…右側部（他方の縦辺端部）
１４…表紙
１６…裏表紙
１８…内封紙
２０…左側部（一方の縦辺端部）
【図１】
2007131315.tif 000003
【図２】
2007131315.tif 000004
【図３】
2007131315.tif 000005
【図４】
2007131315.tif 000006
【図５】
2007131315.tif 000007
【図６】
2007131315.tif 000008
【図７】
2007131315.tif 000009
【図８】
2007131315.tif 000010
【図９】
2007131315.tif 000011
【図１０】
2007131315.tif 000012
【図１１】
2007131315.tif 000013